(57)【要約】【課題】  配信設定を行う際に、その設定に必要な情報をユーザに選択させる煩わしさと手間を軽減させ、操作性を高める。【解決手段】  ＭＦＰは、操作部上の操作によって予め設定された認証情報と一致する認証情報が入力された場合に、認証成功と判定して配信設定項目の送信要求を認証情報と共にサーバへ送信する。サーバは、その送信要求を認証情報と共に受けると、その認証情報に基づいてＨＤＤ内の操作履歴情報を解析して、配信設定に利用する操作履歴情報を選択し、その操作履歴情報から配信設定項目（配信設定項目毎の配信設定情報）を決定して、それを送信要求元のＭＦＰへ送信する。ＭＦＰは、その配信設定項目を取得し、それに基づいて配信設定を行う。つまり、その配信設定情報による配信設定を反映させる。【選択図】        図５
2011130272.tif 000002
【特許請求の範囲】
【請求項１】
操作部上の操作によって配信設定を行う配信設定手段と、該配信設定手段による配信設定に従って配信を行う配信手段とを有する画像処理装置であって、
当該画像処理装置又は／および他の画像処理装置における前記配信設定時の操作履歴情報を利用者識別情報に対応付けて記憶し、管理する管理装置と通信可能であり、
利用者を識別する利用者識別情報の入力を受け付ける受付手段と、
前記配信設定手段が前記配信設定を行う際に、該配信設定に利用する情報の送信要求を前記受付手段が入力を受け付けた前記利用者識別情報と共に前記管理装置へ送信することにより、該利用者識別情報に対応する前記操作履歴情報を解析させ、前記配信設定に利用する前記操作履歴情報又は該操作履歴情報に対応する配信設定情報を取得する配信関連情報取得手段とを設け、
前記配信設定手段は、前記配信関連情報取得手段によって前記操作履歴情報又は前記配信設定情報を取得できた場合に、該操作履歴情報又は該配信設定情報に基づいて前記配信設定を反映させる手段を有することを特徴とする画像処理装置。
【請求項２】
請求項１に記載の画像処理装置において、
前記操作部上の操作により、あるいはＩＣカード等の情報記録媒体との通信により入力され、前記受付手段が入力を受け付けた利用者識別情報を、当該画像処理装置の利用者毎に予め設定されている利用者識別情報と照合することにより、利用者の認証を行う認証手段を備え、
前記配信関連情報取得手段は、前記認証手段において前記入力を受け付けた利用者識別情報による認証が成功した場合に、該利用者識別情報に対応する前記操作履歴情報を解析させ、前記配信設定に利用する前記操作履歴情報又は該操作履歴情報に対応する配信設定情報を取得することを特徴とする画像処理装置。
【請求項３】
請求項２に記載の画像処理装置において、
前記操作履歴情報の解析方法を設定する解析方法設定手段と、
前記認証手段において前記入力を受け付けた利用者識別情報による認証が成功した場合に、該利用者識別情報と共に前記解析方法設定手段によって設定された前記解析方法を前記管理装置へ通知する解析方法通知手段とを設けたことを特徴とする画像処理装置。
【請求項４】
請求項１又は２に記載の画像処理装置において、
前記配信関連情報取得手段によって取得した前記操作履歴情報又は前記配信設定情報に当該画像処理装置で設定不可能な情報が含まれている場合に、その旨を示す情報を通知する設定不可通知手段を設けたことを特徴とする画像処理装置。
【請求項５】
画像処理装置と通信可能な管理装置であって、
操作履歴情報を記憶する操作履歴情報記憶手段と、
前記画像処理装置より、該画像処理装置における配信設定時の操作履歴情報を、該画像処理装置において認証が成功した際に入力を受け付けた利用者識別情報と共に取得する操作履歴情報取得手段と、
該操作履歴情報取得手段によって前記利用者識別情報と共に取得した前記操作履歴情報を該利用者識別情報に対応付けて前記操作履歴情報記憶手段に保存する操作履歴情報保存手段と、
前記画像処理装置より、前記操作履歴情報の送信要求を前記認証が成功した際に入力を受け付けた利用者識別情報と共に受けた場合に、該利用者識別情報に基づいて前記操作履歴情報記憶手段に保存されている該利用者識別情報に対応する操作履歴情報を解析して、前記配信設定に利用する操作履歴情報を選択する操作履歴情報解析手段と、
該操作履歴情報解析手段によって選択された前記操作履歴情報を前記送信要求元の画像処理装置へ送信する操作履歴情報送信手段とを設けたことを特徴とする管理装置。
【請求項６】
画像処理装置と通信可能な管理装置であって、
操作履歴情報を記憶する操作履歴情報記憶手段と、
前記画像処理装置より、該画像処理装置における配信設定時の操作履歴情報を、該画像処理装置において認証が成功した際に入力を受け付けた利用者識別情報と共に取得する操作履歴情報取得手段と、
該操作履歴情報取得手段によって前記利用者識別情報と共に取得した前記操作履歴情報を該利用者識別情報に対応付けて前記操作履歴情報記憶手段に保存する操作履歴情報保存手段と、
前記画像処理装置より、前記操作履歴情報の送信要求を前記認証が成功した際に入力を受け付けた利用者識別情報と共に受けた場合に、該利用者識別情報に基づいて前記操作履歴情報記憶手段に保存されている該利用者識別情報に対応する操作履歴情報を解析して、前記配信設定に利用する操作履歴情報を選択する操作履歴情報解析手段と、
該操作履歴情報解析手段によって選択された前記操作履歴情報に基づいて、配信設定項目毎の配信設定情報を決定する配信設定情報決定手段と、
該配信設定情報決定手段によって決定された前記配信設定情報を前記送信要求元の画像処理装置へ送信する配信設定情報送信手段とを設けたことを特徴とする管理装置。
【請求項７】
前記操作履歴情報解析手段は、前記画像処理装置より、前記操作履歴情報の送信要求を前記認証が成功した際に入力を受け付けた利用者識別情報と共に受けた場合に、該利用者識別情報に基づいて前記操作履歴情報記憶手段に保存されている該利用者識別情報に対応する前記操作履歴情報を解析して、最も利用頻度が高い操作履歴情報を選択することを特徴とする請求項５又は６に記載の管理装置。
【請求項８】
前記操作履歴情報解析手段は、前記画像処理装置より、前記操作履歴情報の送信要求を前記認証が成功した際に入力を受け付けた利用者識別情報と共に受けた場合に、該利用者識別情報に基づいて前記操作履歴情報記憶手段に保存されている該利用者識別情報に対応する前記操作履歴情報を解析して、最も新しい操作履歴情報を選択することを特徴とする請求項５又は６に記載の管理装置。
【請求項９】
画像処理装置と通信可能な管理装置であって、
操作履歴情報を記憶する操作履歴情報記憶手段と、
操作履歴情報の解析方法を記憶する解決方法記憶手段と、
前記画像処理装置より、該画像処理装置における配信設定時の操作履歴情報を、該画像処理装置において認証が成功した際に入力を受け付けた利用者識別情報と共に取得する操作履歴情報取得手段と、
該操作履歴情報取得手段によって前記利用者識別情報と共に取得した前記操作履歴情報を該利用者識別情報に対応付けて前記操作履歴情報記憶手段に保存する操作履歴情報保存手段と、
前記画像処理装置より、該画像処理装置において設定された前記操作履歴情報の解析方法を前記認証が成功した際に入力を受け付けた利用者識別情報と共に受けた場合に、該解析方法を該利用者識別情報に対応付けて前記解決方法記憶手段に保存する解析方法保存手段と、
前記画像処理装置より、前記操作履歴情報の送信要求を前記認証が成功した際に入力を受け付けた利用者識別情報と共に受けた場合に、該利用者識別情報に基づいて前記解決方法記憶手段に保存されている該利用者識別情報に対応する前記解析方法を読み込み、該利用者識別情報および該解析方法に基づいて前記操作履歴情報記憶手段に保存されている該利用者識別情報に対応する前記操作履歴情報を解析して、前記配信設定に利用する操作履歴情報を選択する操作履歴情報解析手段と、
該操作履歴情報解析手段によって選択された前記操作履歴情報を前記送信要求元の画像処理装置へ送信する操作履歴情報送信手段とを設けたことを特徴とする管理装置。
【請求項１０】
画像処理装置と通信可能な管理装置であって、
操作履歴情報を記憶する操作履歴情報記憶手段と、
操作履歴情報の解析方法を記憶する解決方法記憶手段と、
前記画像処理装置より、該画像処理装置における配信設定時の操作履歴情報を、該画像処理装置において認証が成功した際に入力を受け付けた利用者識別情報と共に取得する操作履歴情報取得手段と、
該操作履歴情報取得手段によって前記利用者識別情報と共に取得した前記操作履歴情報を該利用者識別情報に対応付けて前記操作履歴情報記憶手段に保存する操作履歴情報保存手段と、
前記画像処理装置より、該画像処理装置において設定された前記操作履歴情報の解析方法を前記認証が成功した際に入力を受け付けた利用者識別情報と共に受けた場合に、該解析方法を該利用者識別情報に対応付けて前記解決方法記憶手段に保存する解析方法保存手段と、
前記画像処理装置より、前記操作履歴情報の送信要求を前記認証が成功した際に入力を受け付けた利用者識別情報と共に受けた場合に、該利用者識別情報に基づいて前記解決方法記憶手段に保存されている該利用者識別情報に対応する前記解析方法を読み込み、該利用者識別情報および該解析方法に基づいて前記操作履歴情報記憶手段に保存されている該利用者識別情報に対応する前記操作履歴情報を解析して、前記配信設定に利用する操作履歴情報を選択する操作履歴情報解析手段と、
該操作履歴情報解析手段によって選択された前記操作履歴情報に基づいて、配信設定項目毎の配信設定情報を決定する配信設定情報決定手段と、
該配信設定情報決定手段によって決定された前記配信設定情報を前記送信要求元の画像処理装置へ送信する配信設定情報送信手段とを設けたことを特徴とする管理装置。
【請求項１１】
請求項１に記載の画像処理装置と、該画像処理装置と通信可能な管理装置とによって構成される情報処理システムであって、
前記管理装置に、
操作履歴情報を記憶する操作履歴情報記憶手段と、
前記画像処理装置より、該画像処理装置における配信設定時の操作履歴情報を、該画像処理装置において認証が成功した際に入力を受け付けた利用者識別情報と共に取得する操作履歴情報取得手段と、
該操作履歴情報取得手段によって前記利用者識別情報と共に取得した前記操作履歴情報を該利用者識別情報に対応付けて前記操作履歴情報記憶手段に保存する操作履歴情報保存手段と、
前記画像処理装置より、前記操作履歴情報の送信要求を前記認証が成功した際に入力を受け付けた利用者識別情報と共に受けた場合に、該利用者識別情報に基づいて前記操作履歴情報記憶手段に保存されている該利用者識別情報に対応する操作履歴情報を解析して、前記配信設定に利用する操作履歴情報を選択する操作履歴情報解析手段と、
該操作履歴情報解析手段によって選択された前記操作履歴情報を前記送信要求元の画像処理装置へ送信する操作履歴情報送信手段とを設けたことを特徴とする情報処理システム。
【請求項１２】
請求項１に記載の画像処理装置と、該画像処理装置と通信可能な管理装置とによって構成される情報処理システムであって、
前記管理装置に、
操作履歴情報を記憶する操作履歴情報記憶手段と、
前記画像処理装置より、該画像処理装置における配信設定時の操作履歴情報を、該画像処理装置において認証が成功した際に入力を受け付けた利用者識別情報と共に取得する操作履歴情報取得手段と、
該操作履歴情報取得手段によって前記利用者識別情報と共に取得した前記操作履歴情報を該利用者識別情報に対応付けて前記操作履歴情報記憶手段に保存する操作履歴情報保存手段と、
前記画像処理装置より、前記操作履歴情報の送信要求を前記認証が成功した際に入力を受け付けた利用者識別情報と共に受けた場合に、該利用者識別情報に基づいて前記操作履歴情報記憶手段に保存されている該利用者識別情報に対応する操作履歴情報を解析して、前記配信設定に利用する操作履歴情報を選択する操作履歴情報解析手段と、
該操作履歴情報解析手段によって選択された前記操作履歴情報に基づいて、配信設定項目毎の配信設定情報を決定する配信設定情報決定手段と、
該配信設定情報決定手段によって決定された前記配信設定情報を前記送信要求元の画像処理装置へ送信する配信設定情報送信手段とを設けたことを特徴とする情報処理システム。
【請求項１３】
配信設定を行う配信設定工程と、該配信設定工程による配信設定に従って配信を行う配信工程とを有する画像処理装置における配信設定方法であって、
当該画像処理装置又は／および他の画像処理装置における配信設定時の操作履歴情報を利用者識別情報に対応付けて記憶し、管理する管理装置と通信可能であり、
入力を受け付けた利用者識別情報を、当該画像処理装置の利用者毎に予め設定されている利用者識別情報と照合することにより、利用者の認証を行う認証工程と、
該認証工程において前記入力を受け付けた利用者識別情報による認証が成功した場合に、前記配信設定工程が前記配信設定を行う際に、該配信設定に利用する情報の送信要求を前記入力を受け付けた前記利用者識別情報と共に前記管理装置へ送信することにより、該利用者識別情報に対応する前記操作履歴情報を解析させ、前記配信設定に利用する前記操作履歴情報又は該操作履歴情報に対応する配信設定情報を取得する配信関連情報取得工程とを有し、
前記配信設定工程は、前記配信関連情報取得工程によって前記操作履歴情報又は前記配信設定情報を取得できた場合に、該操作履歴情報又は該配信設定情報に基づいて前記配信設定を反映させることを特徴とする配信設定方法。
【請求項１４】
請求項１２に記載の配信設定方法を、前記画像処理装置を制御するコンピュータに実行させるプログラム。
【請求項１５】
請求項１４記載のプログラムを記録したコンピュータ読み取り可能な記録媒体。
【発明の詳細な説明】
【技術分野】
【０００１】
本発明は、画像形成装置（デジタル複合機，デジタル複写機，ファクシミリ装置，プリンタ等）や画像読取装置（スキャナ装置等）等の画像処理装置、サーバ等の管理装置、上記画像処理装置と上記管理装置とからなる情報処理システム、上記画像処理装置における配信設定方法、上記画像処理装置を制御するコンピュータに必要な機能（本発明に係わる機能）を実現させるためのプログラム、およびそのプログラムを記録したコンピュータ読み取り可能な記録媒体に関する。
【背景技術】
【０００２】
例えば、デジタル複合機（以下「ＭＦＰ」と略称する）等の画像処理を行う画像処理装置には、文書や画像をメール等で外部へ配信する機能を備えたものがある。
このような画像処理装置において、配信を行うには、利用者（ユーザ）による操作部上の操作により、あて先や解像度、カラー／白黒モード等の配信に関する条件設定やモード設定等の各種設定（通常「配信設定」という）を行う必要がある。
しかし、一度行った配信設定は、その画像処理装置でのみ有効であり、他の画像処理装置で同じ配信設定を行いたい場合でも、その都度設定を行う必要があるという煩わしさがあった。
【０００３】
そこで、このような課題を解決するため、画像処理装置が、ネットワーク上のサーバに保存された操作履歴情報を用いて、過去に行った配信設定を簡単な操作によって現在の設定に反映させる技術が考えられ、既に知られている。
例えば、特許文献１には、ＭＦＰが、ユーザによる操作部上の操作によってログ管理サーバからネットワーク経由で操作履歴情報を取得して、その操作履歴情報が示す操作による過去の設定（配信設定等）を現在の設定に反映させる構成が開示されている。
【発明の概要】
【発明が解決しようとする課題】
【０００４】
しかしながら、今までの過去の配信設定を反映させる技術では、ユーザ自身が画像処理装置の操作部上の操作によって過去の操作履歴情報を外部から取得・選択することにより、その操作履歴情報が示す操作による過去の配信設定を現在の配信設定に反映させているにすぎず、配信を行う度に配信設定のための操作を行う必要がある。
具体的に説明すると、外部から取得した操作履歴情報は操作部上に表示されるため、その操作履歴情報をユーザが操作部上の操作によって選択し、その選択した操作履歴情報が示す操作による過去の配信設定が現在の配信設定に反映される。
【０００５】
この場合、ユーザが過去の操作履歴情報から配信設定に必要な情報を検索する必要がある。特に、操作履歴情報が多い場合、その中から検索して配信設定に必要な情報を選択する操作は、煩わしさと手間がかかり、操作性が低いという問題があった。
本発明は上記の点に鑑みてなされたものであり、画像処理装置が、配信設定を行う際に、その設定に必要な情報をユーザに選択させる煩わしさと手間を軽減させ、操作性を高めることを目的とする。
【課題を解決するための手段】
【０００６】
本発明は、上記の目的を達成するため、以下に示す画像処理装置、管理装置、それらからなる情報処理システム、上記画像処理装置における配信設定方法、上記画像処理装置を制御するコンピュータに実行させるプログラム，およびそのプログラムを記録したコンピュータ読み取り可能な記録媒体を提供する。
【０００７】
本発明による画像処理装置は、操作部上の操作によって配信設定を行う配信設定手段と、その配信設定手段による配信設定に従って配信を行う配信手段とを有する画像処理装置であって、当該画像処理装置又は／および他の画像処理装置における上記配信設定時の操作履歴情報を利用者識別情報に対応付けて記憶し、管理する管理装置と通信可能であり、利用者を識別する利用者識別情報の入力を受け付ける受付手段と、上記配信設定手段が上記配信設定を行う際に、その配信設定に利用する情報の送信要求を上記受付手段が入力を受け付けた上記利用者識別情報と共に上記管理装置へ送信することにより、その利用者識別情報に対応する上記操作履歴情報を解析させ、上記配信設定に利用する上記操作履歴情報（例えば利用頻度が最も高い配信設定又は最も新しい配信設定を行うための操作履歴情報）又はその操作履歴情報に対応する配信設定情報を取得する配信関連情報取得手段とを設け、上記配信設定手段に、上記配信関連情報取得手段によって上記操作履歴情報又は上記配信設定情報を取得できた場合に、その操作履歴情報又はその配信設定情報に基づいて上記配信設定を反映させる手段を備えたものである。
【０００８】
なお、上記操作部上の操作により、あるいはＩＣカード等の情報記録媒体との通信により入力され、上記受付手段が入力を受け付けた利用者識別情報を、この画像処理装置の利用者毎に予め設定されている利用者識別情報と照合することにより、利用者の認証を行う認証手段を備え、上記配信関連情報取得手段が、上記認証手段において上記入力を受け付けた利用者識別情報による認証が成功した場合に、その利用者識別情報に対応する上記操作履歴情報を解析させ、上記配信設定に利用する上記操作履歴情報又はその操作履歴情報に対応する配信設定情報を取得するとよい。
【０００９】
本発明による管理装置は、上記のような画像処理装置と通信可能な管理装置であって、操作履歴情報を記憶する操作履歴情報記憶手段と、上記画像処理装置より、その画像処理装置における配信設定時の操作履歴情報を、その画像処理装置において認証が成功した際に入力を受け付けた利用者識別情報と共に取得する操作履歴情報取得手段と、それによって上記利用者識別情報と共に取得した上記操作履歴情報をその利用者識別情報に対応付けて上記操作履歴情報記憶手段に保存する操作履歴情報保存手段と、上記画像処理装置より、上記操作履歴情報の送信要求を上記認証が成功した際に入力を受け付けた利用者識別情報と共に受けた場合に、その利用者識別情報に基づいて上記操作履歴情報記憶手段に保存されているその利用者識別情報に対応する操作履歴情報を解析して、上記配信設定に利用する操作履歴情報（例えば最も利用頻度が高い操作履歴情報又は最も新しい操作履歴情報）を選択する操作履歴情報解析手段と、それによって選択された上記操作履歴情報を上記送信要求元の画像処理装置へ送信する操作履歴情報送信手段とを設けたものである。
【００１０】
あるいは、操作履歴情報を記憶する操作履歴情報記憶手段と、上記画像処理装置より、該画像処理装置における配信設定時の操作履歴情報を、その画像処理装置において認証が成功した際に入力を受け付けた利用者識別情報と共に取得する操作履歴情報取得手段と、それによって上記利用者識別情報と共に取得した上記操作履歴情報を該利用者識別情報に対応付けて上記操作履歴情報記憶手段に保存する操作履歴情報保存手段と、上記画像処理装置より、上記操作履歴情報の送信要求を上記認証が成功した際に入力を受け付けた利用者識別情報と共に受けた場合に、その利用者識別情報に基づいて上記操作履歴情報記憶手段に保存されているその利用者識別情報に対応する操作履歴情報を解析して、上記配信設定に利用する操作履歴情報を選択する操作履歴情報解析手段と、それによって選択された上記操作履歴情報に基づいて、配信設定項目毎の配信設定情報を決定する配信設定情報決定手段と、それによって決定された上記配信設定情報を上記送信要求元の画像処理装置へ送信する配信設定情報送信手段とを設けた管理装置を提供する。
【００１１】
本発明による情報処理システムは、上記のような画像処理装置と、その画像処理装置と通信可能な管理装置とによって構成される情報処理システムであって、上記管理装置に、操作履歴情報を記憶する操作履歴情報記憶手段と、上記画像処理装置より、該画像処理装置における配信設定時の操作履歴情報を、その画像処理装置において認証が成功した際に入力を受け付けた利用者識別情報と共に取得する操作履歴情報取得手段と、それによって上記利用者識別情報と共に取得した上記操作履歴情報をその利用者識別情報に対応付けて上記操作履歴情報記憶手段に保存する操作履歴情報保存手段と、上記画像処理装置より、上記操作履歴情報の送信要求を上記認証が成功した際に入力を受け付けた利用者識別情報と共に受けた場合に、その利用者識別情報に基づいて上記操作履歴情報記憶手段に保存されているその利用者識別情報に対応する操作履歴情報を解析して、上記配信設定に利用する操作履歴情報を選択する操作履歴情報解析手段と、それによって選択された上記操作履歴情報を上記送信要求元の画像処理装置へ送信する操作履歴情報送信手段とを設けたものである。
【００１２】
あるいは、上記のような画像処理装置と、その画像処理装置と通信可能な管理装置とによって構成される情報処理システムであって、上記管理装置に、操作履歴情報を記憶する操作履歴情報記憶手段と、上記画像処理装置より、該画像処理装置における配信設定時の操作履歴情報を、その画像処理装置において認証が成功した際に入力を受け付けた利用者識別情報と共に取得する操作履歴情報取得手段と、それによって上記利用者識別情報と共に取得した上記操作履歴情報をその利用者識別情報に対応付けて上記操作履歴情報記憶手段に保存する操作履歴情報保存手段と、上記画像処理装置より、上記操作履歴情報の送信要求を上記認証が成功した際に入力を受け付けた利用者識別情報と共に受けた場合に、その利用者識別情報に基づいて上記操作履歴情報記憶手段に保存されているその利用者識別情報に対応する操作履歴情報を解析して、上記配信設定に利用する操作履歴情報を選択する操作履歴情報解析手段と、それによって選択された上記操作履歴情報に基づいて、配信設定項目毎の配信設定情報を決定する配信設定情報決定手段と、それによって決定された上記配信設定情報を上記送信要求元の画像処理装置へ送信する配信設定情報送信手段とを設けた情報処理システムを提供する。
【００１３】
本発明による配信設定方法は、配信設定を行う配信設定工程と、その配信設定工程による配信設定に従って配信を行う配信工程とを有する画像処理装置における配信設定方法であって、当該画像処理装置又は／および他の画像処理装置における配信設定時の操作履歴情報を利用者識別情報に対応付けて記憶し、管理する管理装置と通信可能であり、入力を受け付けた利用者識別情報を、当該画像処理装置の利用者毎に予め設定されている利用者識別情報と照合することにより、利用者の認証を行う認証工程と、その認証工程において上記入力を受け付けた利用者識別情報による認証が成功した場合に、上記配信設定工程が上記配信設定を行う際に、その配信設定に利用する情報の送信要求を上記入力を受け付けた上記利用者識別情報と共に上記管理装置へ送信することにより、その利用者識別情報に対応する上記操作履歴情報を解析させ、上記配信設定に利用する上記操作履歴情報又は該操作履歴情報に対応する配信設定情報を取得する配信関連情報取得工程とを備え、上記配信設定工程が、上記配信関連情報取得工程によって上記操作履歴情報又は上記配信設定情報を取得できた場合に、該操作履歴情報又は該配信設定情報に基づいて上記配信設定を反映させるものである。
【００１４】
本発明によるプログラムは、上記の配信設定方法を、上記画像処理装置を制御するコンピュータに実行させるプログラムである。
本発明による記録媒体は、上記のプログラムを記録したコンピュータ読み取り可能な記録媒体である。
【発明の効果】
【００１５】
本発明によれば、画像処理装置（又はそれを制御するコンピュータ）が、利用者を識別する利用者識別情報の入力を受け付け、配信設定を行う際に、その配信設定に利用する情報の送信要求を上記入力を受け付けた利用者識別情報と共に管理装置へ送信することにより、その利用者識別情報に対応する操作履歴情報を解析させ、配信設定に利用する操作履歴情報（利用頻度が最も高い配信設定又は最も新しい配信設定を行うための操作履歴情報）又はその操作履歴情報に対応する配信設定情報を取得し、その操作履歴情報又はその配信設定情報に基づいて配信設定を反映させるので、配信設定を行う際に、その設定に必要な情報をユーザに選択させる煩わしさと手間を軽減させ、操作性を高めることができる。
【図面の簡単な説明】
【００１６】
【図１】本発明による画像処理装置および管理装置を使用する情報処理システムの一実施形態であるＭＦＰおよびサーバを使用する情報処理システムのネットワーク構成例を示す概念図である。
【図２】図１のＭＦＰ１０のハードウェア構成例を示すブロック図である。
【図３】図１のサーバ２０のハードウェア構成例を示すブロック図である。
【図４】図１のＭＦＰ１０およびサーバ２０の主要機能構成の第１例を示すブロック図である。
【図５】図４に示したＭＦＰ１０の各部がサーバ２０の各部と共に過去の操作履歴情報を解析して配信設定を行い、配信を行うための処理の一例を示すフロー図である。
【００１７】
【図６】図５のステップＳ８で図２の操作部１０７上に表示される配信設定内容を含む配信設定画面の一例を示す図である。
【図７】図１のＭＦＰ１０およびサーバ２０の主要機能構成の第２例を示すブロック図である。
【図８】図７に示したＭＦＰ１０の各部がサーバ２０の各部と共に過去の操作履歴情報を解析して配信設定を行い、配信を行うための処理の一例を示すフロー図である。
【図９】図８のステップＳ１３で図２の操作部１０７上に表示される解析方法設定画面の一例を示す図である。
【図１０】図８のステップＳ１７で図２の操作部１０７上に表示される履歴選択画面の一例を示す図である。
【００１８】
【図１１】図１のＭＦＰ１０およびサーバ２０の主要機能構成の第３例を示すブロック図である。
【図１２】図１１に示したＭＦＰ１０の各部がサーバ２０の各部と共に過去の操作履歴情報を解析して配信設定を行い、配信を行うための処理の一例を示すフロー図である。
【図１３】図１２のステップＳ１９で図２の操作部１０７上に表示される警告画面の一例を示す図である。
【図１４】図２の操作部１０７上に表示されるグループとプロジェクトを選択させるためのグループ／プロジェクト選択画面の一例を示す図である。
【図１５】図３に示したサーバ２０のＨＤＤ３０６に保存されている各ユーザの操作履歴情報および認証ユーザの操作履歴情報の一例を示す図である。
【発明を実施するための形態】
【００１９】
以下、本発明を実施するための形態を図面に基づいて具体的に説明する。
以下の実施形態では、過去の操作履歴情報から配信設定（あて先や解像度、カラー／白黒モード等の配信に関する条件設定やモード設定等の各種設定）を行うのに際して、以下の特徴を有する。要するに、管理装置が、自装置に保存してある複数台の画像処理装置の過去の操作履歴情報を解析して、ユーザ（利用者識別情報）毎に配信設定に利用する操作履歴情報（利用頻度が最も高い配信設定又は最も新しい配信設定を行うための操作履歴情報）を選択し、各画像処理装置がそれぞれ、管理装置から取得した配信設定に利用する操作履歴情報に基づいて配信設定（利用頻度が最も高い配信設定又は最も新しい配信設定）を自動的に現在の配信設定に反映させる構成が特徴になっている。
【００２０】
〔情報処理システムのネットワーク構成例〕
まず、本発明による画像処理装置および管理装置を使用する情報処理システムの一実施形態であるＭＦＰ（デジタル複合機）およびサーバを使用する情報処理システムの概要を図１を参照して説明する。なお、ＭＦＰの代わりに、デジタル複写機，プリンタ，ファクシミリ装置等の他の画像形成装置や、スキャナ等の画像読取装置などの画像処理装置を用いてもよい。また、サーバの代わりに、ＰＣ（パーソナルコンピュータ）等による管理装置を用いてもよい。
図１は、その情報処理システムのネットワーク構成例を示す概念図である。
【００２１】
この情報処理システムは、複数のＭＦＰ１０（１０ａ，１０ｂ，１０ｃ）と、それらの配信設定時の操作履歴情報（ログ情報）を記憶してまとめて管理する管理装置であるサーバ（ログ管理サーバ）２０とを備えている。それらの機器の接続は、ＬＡＮ（ローカルエリアネットワーク）等のネットワーク１を介して行うが、ＲＳ−４８５規格等に準拠したシリアル接続や、ＳＣＳＩ（Small Computer System Interface）規格等に準拠したパラレル接続等によって行ってもよい。
サーバ２０は、ネットワーク１上の全てのＭＦＰ１０の操作履歴情報をまとめて管理するため、ユーザが以前、どのＭＦＰ１０で操作したかに関係なく、操作履歴情報をネットワーク１上で管理しているどのＭＦＰ１０にも反映させることができる。
【００２２】
〔ＭＦＰのハードウェア構成例〕
次に、図１のＭＦＰ１０のハードウェア構成例について、図２を参照して具体的に説明する。
図２は、図１のＭＦＰ１０のハードウェア構成例を示すブロック図である。
このＭＦＰ１０は、デジタル複写機，プリンタ，ファクシミリ装置，スキャナとしての機能（サービス）、つまりコピー機能，文書蓄積（ドキュメントボックス）機能，ファクシミリ機能，プリンタ機能，スキャナ機能を含む各種機能を実現できる画像形成装置であり、図２に示すように、コントローラ１１，ＦＣＵ（ファクシミリコントロールユニット）１２，エンジンインタフェース（以下「インタフェース」を「Ｉ／Ｆ」ともいう）１３，およびエンジン１４等によって構成されている。これらの構成が、原稿の画像読み取り，印刷（画像形成），画像情報送受信等の画像処理を行うためのハードウェア資源である。
【００２３】
コントローラ１１は、当該ＭＦＰ１０の各部を統括的に制御するものである。その制御により、各種機能を実現することができる。
ＦＣＵ１２は、外部機器、例えばファクシミリ装置又はモデム機能（ファクシミリ通信機能）を有するデジタル複写機や他のＭＦＰ（デジタル複合機）等の画像形成装置との通信を公衆回線経由で制御するものである。
エンジンＩ／Ｆ１３は、エンジン１４をＰＣＩ（Peripheral Component Interconnect）バスに接続するためのインタフェースである。
【００２４】
エンジン１４は、原稿の画像を読み取るスキャナ（画像読取手段）、そのスキャナによって読み取られた画像情報（画像データ）あるいは外部機器から受信した印刷情報を可視画像として用紙（他の記録媒体でもよい）上に印刷するプロッタ（画像形成手段）や、原稿をスキャナの画像読取位置へ自動給送する自動原稿給送装置（ＡＤＦ）、プロッタで印刷がなされた用紙に対してソート，スタック，ステープル等の後処理を行う後処理装置などのハードウェアデバイスに相当するものである。なお、図示しないＰＣ（パーソナルコンピュータ）等の外部機器から受信した印刷情報が印刷用の画像情報ではなく、文字コードや描画情報であれば、それらはコントローラ１１によって印刷用の画像情報に変換される。
【００２５】
コントローラ１１は、ＣＰＵ１０１，ＡＳＩＣ（Application Specific Integrated Circuit）１０２，ＳＤＲＡＭ１０３，ＲＯＭ１０４，ＮＶＲＡＭ１０５，ＨＤＤ（ハードディスクドライブ）１０６，操作部１０７，モデム１０８，ＵＳＢ（Universal Serial Bus）・Ｉ／Ｆ１０９，ＩＥＥＥ（Institute of Electrical and Electronic Engineers）１３９４・Ｉ／Ｆ１１０，およびＭＡＣ（Media Access Controller）・Ｉ／Ｆ１１１等によって構成されている。なお、操作部１０７は実際にはコントローラ１１の外側に配置されている。
ＣＰＵ１０１は、ＡＳＩＣ１０２を介してデータ処理（各機能の制御）を行う演算処理手段である。
【００２６】
ＡＳＩＣ１０２は、ＣＰＵインタフェース，ＳＤＲＡＭインタフェース，ローカルバスインタフェース，ＰＣＩインタフェース，ＨＤＤインタフェース等からなる多機能デバイスボードであり、ＣＰＵ１０１の制御対象となるデバイスの共有化を図り、アーキテクチャの面からアプリ等の開発の高効率化を支援するものである。
このＡＳＩＣ１０２には、エンジン１４の操作命令等を受け付ける操作部１０７が直接的に接続されると共に、モデム１０８も直接的に接続される。また、ＵＳＢ・Ｉ／Ｆ１０９，ＩＥＥＥ１３９４・Ｉ／Ｆ１１０，ＭＡＣ・Ｉ／Ｆ１１１，ＦＣＵ１２，およびエンジンＩ／Ｆ１３がＰＣＩバス１１２を介して接続される。
【００２７】
ＳＤＲＡＭ１０３は、各種プログラムを記憶するプログラムメモリや、ＣＰＵ１０１がデータ処理を行う際に使用するワークメモリ等として使用するメインメモリである。なお、このＳＤＲＡＭ１０３の代わりに、ＤＲＡＭやＳＲＡＭを使用してもよい。
ＲＯＭ１０４は、ＣＰＵ１０１が実行するプログラム（ソフトウェア）や固定データを記憶している固定メモリである。なお、このＲＯＭ１０４に、各種機能を実現するためのアプリケーションプログラム（以下「アプリケーション」又は「アプリ」と略称する）やミドルウェアを記憶しておくこともできる。
【００２８】
ＮＶＲＡＭ１０５は、変更可能な種々のパラメータ等のデータを記憶する不揮発性メモリであり、電源がオフになっても記憶内容を保持するようになっている。このＮＶＲＡＭ１０５に、配信設定時の操作履歴情報（以下単に「操作履歴情報」ともいう）を記憶することもできる。なお、このＮＶＲＡＭ１０５として、ＲＡＭと電池を利用したバックアップ回路を集積した不揮発性ＲＡＭや、ＥＥＰＲＯＭ，フラッシュメモリ等の不揮発性メモリを使用することができる。
ＨＤＤ１０６は、電源のオン・オフに関係なくデータを記憶保存する記憶装置（不揮発性記録媒体）であり、ＯＳ（オペレーティングシステム）を含むプログラムや操作履歴情報等の各種データを記憶保存することができる。なお、このＨＤＤ１０６に、上述したＳＤＲＡＭ１０３内のデータやＮＶＲＡＭ１０５内のデータを記憶しておくこともできる。
【００２９】
ここで、ＣＰＵ１０１は、当該ＭＦＰ１０の電源投入時に、ＲＯＭ１０４内のブートローダ（ブートプログラム）に従い、ＨＤＤ１０６内のＯＳを読み出し、それをＳＤＲＡＭ１０３にロードして展開した後、そのＯＳを起動させる。更に、ＨＤＤ１０６内の他のプログラムを含む各種データも必要に応じてＳＤＲＡＭ１０３にロードして展開する。そして、ＳＤＲＡＭ１０３内のプログラムを必要に応じて実行し、操作部１０７を含む装置の制御を行うことにより、本発明に関わる機能である配信設定手段，配信手段，受付手段，認証手段，配信関連情報取得手段，解析方法設定手段，解析方法通知手段，および設定不可通知手段としての機能を実現することができる。
【００３０】
操作部１０７は、当該ＭＦＰ１０により提供される機能の選択に基づくエンジン１４やログ管理サーバ２０等の外部機器に対する動作指示等のデータを入力するための各種の操作キー（操作スイッチ又は操作ボタンともいう）およびＬＣＤ又はＣＲＴ等の表示器を有する操作手段である。その表示器は、その表面にタッチパネルを備えている。この実施形態では、そのタッチパネル上に各種機能を利用可能にするための操作画面を表示し、その画面上の各キーを選択的に押下（タッチ）することにより、対応する動作を指示することができる。また、ＨＤＤ１０６に蓄積された操作履歴情報をユーザによって参照可能に表示することもできる。
【００３１】
モデム１０８は、変復調手段であり、外部機器へ公衆回線経由でデータを送信する場合、そのデータを公衆回線に流せる形に変調する。また、外部機器から送られてくる変調されたデータを受信した場合、そのデータを復調する。
ＵＳＢ・Ｉ／Ｆ１０９およびＩＥＥＥ１３９４・Ｉ／Ｆ１１０はそれぞれ、ＩＣカードリーダ（ＩＣカード認証機器）等の周辺機器と直接接続して通信を行うための、ＵＳＢ規格，ＩＥＥＥ１３９４規格のインタフェース（直接インタフェース）である。
ＭＡＣ・Ｉ／Ｆ１１１は、ネットワーク１を介してサーバ２０や他のＭＦＰ１０を含む各外部機器と通信を行うためのネットワークＩ／Ｆである。
なお、ＵＳＢ・Ｉ／Ｆ１０９やＩＥＥＥ１３９４・Ｉ／Ｆ１１０以外の直接インタフェースをコントローラ１１に増設することもできる。
【００３２】
〔サーバのハードウェア構成例〕
次に、図１のサーバ２０のハードウェア構成例について、図３を参照して具体的に説明する。
図３は、図１のサーバ２０のハードウェア構成例を示すブロック図である。
このサーバ２０は、ＣＰＵ３０１，ＡＳＩＣ３０２，ＳＤＲＡＭ３０３，ＲＯＭ３０４，ＮＶＲＡＭ３０５，ＨＤＤ３０６，モデム３０７，ＵＳＢ・Ｉ／Ｆ３０８，ＩＥＥＥ１３９４・Ｉ／Ｆ３０９，およびＭＡＣ・Ｉ／Ｆ３１０等によって構成されている。
【００３３】
このサーバ２０のハードウェア構成は、図２によって説明したＭＦＰ１０のコントローラ１１のハードウェア構成と略同様であるが、ＰＣ等の他の情報処理装置をサーバとして利用してもよい。
ＨＤＤ３０６は、ＯＳを含むプログラムおよびＭＦＰ１０の操作履歴情報（ログ情報）を含む各種データを記憶保存する。よって、このＨＤＤ３０６が、本発明に関わる機能である操作履歴情報記憶手段および解決方法記憶手段としての機能を果たす。
【００３４】
ここで、ＣＰＵ３０１は、当該サーバ２０の電源投入時に、ＲＯＭ３０４内のブートローダに従い、ＨＤＤ３０６内のＯＳを読み出し、それをＳＤＲＡＭ３０３にロードして展開した後、そのＯＳを起動させる。更に、ＨＤＤ３０６内の他のプログラムを含む各種データも必要に応じてＳＤＲＡＭ３０３にロードして展開する。そして、ＳＤＲＡＭ３０３内のプログラムを必要に応じて実行し、装置の制御を行うことにより、本発明に関わる機能である操作履歴情報取得手段，操作履歴情報保存手段，操作履歴情報解析手段，操作履歴情報送信手段，配信設定情報決定手段，配信設定情報送信手段，および解析方法保存手段としての機能を実現することができる。
【００３５】
以下、ＭＦＰ１０およびサーバ２０における本発明に関わる機能および処理の各実施例について、図４〜図１５の各図面を参照して具体的に説明する。
〔第１実施例〕
まず、第１実施例について、図４〜図６を参照して説明する。
図４は、図１のＭＦＰ１０（１０ａ，１０ｂ，１０ｃ）およびサーバ２０の主要機能構成の第１例を示すブロック図である。
【００３６】
第１実施例では、ＭＦＰ１０内の前述したソフトウェアを構成する各プログラムが、本発明に関わるユーザインタフェース部２０１，認証部２０２，配信設定部２０３，配信設定取得部２０４，操作履歴情報送信部２０５，および配信実行部２０６としての機能を実現できる。また、サーバ２０内の前述したソフトウェアを構成する各プログラムが、本発明に関わる操作履歴情報保存部４０１，配信設定決定部４０２，および操作履歴情報解析部４０３としての機能を実現できる。
【００３７】
図５は、図４に示したＭＦＰ１０の各部がサーバ２０の各部と共に過去の操作履歴情報を解析して配信設定を行い、配信を行うための処理の一例を示すフローチャートである。
ＭＦＰ１０では、ユーザが当該ＭＦＰ１０にログインする際に、ユーザインタフェース部２０１および認証部２０２がユーザ認証を行う（Ｓ１）。
【００３８】
すなわち、操作部１０７上のいずれかのキーが押下されると、ユーザインタフェース部２０１が、操作部１０７（実際には表示器１０７ａ）上に利用者を識別する利用者識別情報（以下「認証情報」ともいう）としてのユーザＩＤ（ユーザ情報）およびパスワードの入力を要求するユーザ認証画面を表示する。そして、操作部１０７上の操作によってユーザＩＤおよびパスワードが入力され、「認証」キーが押下されると、そのユーザＩＤおよびパスワードを受け付け、それらを含む認証要求をユーザインタフェース部２０１が発行する。「キャンセル」キーが押下された場合には、操作部１０７上の操作画面をユーザ認証画面以前の画面に戻すように、ユーザインタフェース部２０１に対して要求する。
【００３９】
あるいは、ＵＳＢ・Ｉ／Ｆ１０９又はＩＥＥＥ１３９４・Ｉ／Ｆ１１０に、ユーザＩＤが記録されているＩＣカードが挿着されたＩＣカードリーダが接続されている場合には、ユーザインタフェース部２０１が操作部１０７上にパスワードの入力のみを要求するユーザ認証画面を表示する。そして、操作部１０７上の操作によってパスワードが入力され、「認証」キーが押下されると、ユーザインタフェース部２０１が、ＩＣカードリーダによってＩＣカードに記録されているユーザＩＤを読み込み、そのユーザＩＤおよび入力されたパスワードを含む認証要求を発行する。なお、ＩＣカード以外の情報記録媒体を用い、その情報記録媒体に記録されているユーザＩＤを読み込むことにより、同様な認証要求を発行することもできる。
【００４０】
認証要求の発行により、その認証要求中の認証情報であるユーザＩＤおよびパスワードについての認証処理を認証部２０２が行う。つまり、その認証情報をＮＶＲＡＭ１０５（又はＨＤＤ１０６）にユーザ毎に登録（予め設定）されている認証情報と照合することにより、発行された認証要求中の認証情報と一致するものがＮＶＲＡＭ１０５に登録されているか否かをチェックして、発行された認証要求中の認証情報と一致するものが登録されていればユーザ認証に成功したと判定し、上記認証情報と一致するものが登録されていなければユーザ認証に失敗したと判定する。
【００４１】
そして、ユーザ認証に成功した場合、つまりユーザが当該ＭＦＰ１０にログインした場合、配信設定部２０３等が配信設定要求処理を行う（Ｓ２）。
すなわち、配信設定部２０３は、配信設定取得部２０４に対して配信設定の取得を要求する。このとき、上記認証要求中の認証情報を配信設定取得部２０４へ渡す。
配信設定取得部２０４は、配信設定部２０３から配信設定の取得要求を受けると、ネットワーク１経由でサーバ２０の配信設定決定部４０２に対して配信設定項目（配信設定に利用する情報）の送信を要求する。このとき、配信設定項目の取得要求と共に受けた認証情報を配信設定決定部４０２へ渡す。なお、配信設定項目の送信要求の代わりに、配信設定に利用する他の情報である操作履歴情報の送信要求を行ってもよい。
【００４２】
サーバ２０では、配信設定決定部４０２が、ＭＦＰ１０の配信設定取得部２０４から配信設定項目の送信要求を受けると、操作履歴情報解析部４０３に対して操作履歴情報の解析を要求する。このとき、配信設定項目の送信要求と共に受けた認証情報を操作履歴情報解析部４０３へ渡す。
操作履歴情報解析部４０３は、配信設定決定部４０２から操作履歴情報の要求を認証情報と共に受けると、その認証情報に基づいて認証ユーザが過去に行った操作の内容を示す操作履歴情報（以下「認証ユーザの操作履歴情報」という）の有無を確認し（Ｓ３）、その操作履歴情報がない場合には、その旨を配信設定決定部４０２へ通知するが、その操作履歴情報があった場合には、その操作履歴情報の解析を行う（Ｓ４）。
【００４３】
すなわち、各ユーザがそれぞれ過去に行った操作の内容を示す各操作履歴情報（以下「各ユーザの操作履歴情報」という）の中から認証ユーザの操作履歴情報のみを検索し、その操作履歴情報を解析して利用頻度が最も高い操作履歴情報、あるいは最も新しい操作履歴情報を選択し、その結果である解析結果（配信設定に利用する操作履歴情報）を配信設定決定部４０２へ渡す。
【００４４】
ここで、最も新しい操作履歴情報を配信設定決定部４０２へ渡す場合、操作履歴情報が操作履歴情報保存部４０１によってＨＤＤ３０６（又はＮＶＲＡＭ３０５）に保存される際に、その操作履歴情報に時刻情報（年月日時分秒等）が対応付けられている。その時刻情報は、例えば当該サーバ２０内の図示しない時計回路（計時手段）あるいは外部から取得することができる。
【００４５】
なお、ＨＤＤ３０６に保存できる操作履歴情報の個数又は容量の値が予め設定され、ＨＤＤ３０６に次に保存すべき操作履歴情報がその設定値を超えるような場合、最も古い操作履歴情報を自動消去することができる。その場合、操作履歴情報の利用頻度が不明になるため、操作履歴情報解析部４０３が配信設定に利用する操作履歴情報を配信設定決定部４０２へ渡す場合、その操作履歴情報の利用回数をインクリメント（＋１）し、ＨＤＤ３０６（又はＮＶＲＡＭ３０５）に保存するとよい。
【００４６】
配信設定決定部４０２は、操作履歴情報解析部４０３から解析結果を取得した場合には、その解析結果からメール配信等の配信方法やあて先、解像度、カラー／白黒モード等の配信に関する条件設定やモード設定等の配信設定項目（実際には配信設定項目毎の設定内容を示す情報である配信設定情報）を決定し、その配信設定項目をその送信要求元のＭＦＰ１０の配信設定取得部２０４へ送信する（Ｓ５）。なお、操作履歴情報解析部４０３から取得した解析結果（配信設定に利用する操作履歴情報）をそのまま送信要求元のＭＦＰ１０へ送信することもできる。
また、操作履歴情報解析部４０３から認証ユーザの操作履歴情報がない旨の通知を受けた場合には、図示は省略するが、その通知を配信設定項目の送信要求元のＭＦＰ１０の配信設定取得部２０４へ送信する。
【００４７】
ＭＦＰ１０の配信設定取得部２０４は、サーバ２０の配信設定決定部４０２への配信設定項目の送信要求に対して、その配信設定決定部４０２から認証ユーザの操作履歴情報がない旨の通知が送られてきた場合には、図示は省略するが、その通知を取得して配信設定部２０３へ渡す。
また、サーバ２０の配信設定決定部４０２から配信設定項目が送られてきた場合には、その配信設定項目を取得して配信設定部２０３へ渡す（Ｓ６）。
【００４８】
配信設定部２０３は、配信設定取得部２０４から配信設定項目を取得すると、その配信設定項目に基づいて配信設定を行い（配信設定を反映させ）、その内容を示す情報をユーザインタフェース部２０１へ渡す（Ｓ７）。なお、サーバ２０から配信設定に利用する操作履歴情報を取得した場合には、その操作履歴情報から配信設定項目を決定し、その配信設定項目に基づいて配信設定を行うこともできる。
【００４９】
ユーザインタフェース部２０１は、配信設定部２０３から配信設定の内容を示す情報を受けると、その内容を含む配信設定画面を操作部１０７上に表示する（Ｓ８）。なお、その表示の段階では、後で図６によっても説明するが、配信設定の内容として、あて先の内容のみを表示し、ユーザの操作によって他の配信設定項目の内容も表示するようにしてもよい。
【００５０】
配信設定部２０３は、配信設定取得部２０４から認証ユーザの操作履歴情報がない旨の通知を受けた場合には、図示は省略するが、その通知をユーザインタフェース部２０１へ渡す。
ユーザインタフェース部２０１は、配信設定部２０３から認証ユーザの操作履歴情報がない旨の通知を受けた場合には、図示は省略するが、デフォルトの設定内容を含むデフォルト配信設定画面を操作部１０７上に表示する。
【００５１】
配信設定部２０３は、過去の配信設定の内容を含む配信設定画面又はデフォルト配信設定画面が操作部１０７上に表示された場合に、ユーザによる操作部１０７上の操作に応じてユーザインタフェース部２０１から発行される要求に従って配信設定の内容を決定し、配信実行部２０６に対して配信実行を要求する（Ｓ９）。
すなわち、デフォルト配信設定画面が操作部１０７上に表示された場合（つまり認証ユーザの操作履歴情報がない場合）には、ユーザインタフェース部２０１から発行される要求に従って配信設定を項目毎に行い、配信を開始するためのキー操作がなされ、ユーザインタフェース部２０１から配信開始要求が発行された場合に、配信設定の内容を決定し、配信実行部２０６に対して配信実行を要求する。
【００５２】
また、過去の配信設定の内容を含む配信設定画面が操作部１０７上に表示された場合には、その配信設定の内容でＯＫであれば、配信を開始するためのキー操作がなされ、ユーザインタフェース部２０１から配信開始要求が発行された場合に、配信設定の内容を決定し、配信実行部２０６に対して配信実行を要求する。操作部１０７上に表示された過去の配信設定の内容でＯＫでなければ、配信を開始するためのキー操作がなされる前に、ユーザによる操作部１０７上の操作に応じてユーザインタフェース部２０１から発行される要求に従って配信設定の内容を修正する。
【００５３】
配信実行部２０６は、配信設定部２０３から配信実行の要求を受けると、配信設定の内容に従って配信を実行する（Ｓ１０）。
配信設定部２０３は、配信実行部２０６によって配信が実行された後、操作履歴情報送信部２０５に対して、今回のユーザによる操作の内容、つまりユーザインタフェース部２０１から発行された要求の内容を示す情報（認証ユーザの操作履歴情報であればその情報）を今回の操作履歴情報として、上記認証要求中の認証情報と共に操作履歴情報送信部２０５へ渡すことにより、操作履歴情報送信部２０５が操作履歴情報の送信を実行する（Ｓ１１）。
【００５４】
すなわち、操作履歴情報送信部２０５は、配信設定部２０３から操作履歴情報を認証情報と共に受けると、その操作履歴情報を認証情報と共にサーバ２０の操作履歴情報保存部４０１へ送信する。
サーバ２０の操作履歴情報保存部４０１は、ＭＦＰ１０の操作履歴情報送信部２０５から操作履歴情報を認証情報と共に受け取ると、その操作履歴情報をその認証情報に対応付けてＨＤＤ３０６に保存する。このとき、必要に応じて時刻情報も対応付けて保存する。
【００５５】
図６は、図５のステップＳ８で操作部１０７上に表示される配信設定内容を含む配信設定画面の一例を示す図である。
この例の配信設定画面では、表示エリア５０１に配信設定内容が表示される。
その配信設定内容として、図６の例では、あて先（配信先）の内容しか表示されていないが、「詳細」キー５０１ａが押下（タッチ）されることによって、あて先の内容を含む配信設定内容の詳細を表示することができる。
【００５６】
また、「文書名」キー５０３を押下することにより、配信すべき文書の名称を入力することも可能になる。
さらに、「読み取り設定」キー５０４を押下することにより、配信すべき文書の読み取り設定、例えば解像度、カラー／白黒モード等の設定を行うこともできる。配信すべき文書とは、エンジン１４のスキャナによって読み取る原稿の画像情報に相当する。
【００５７】
配信設定画面は、ユーザが当該ＭＦＰ１０にログインした後、すぐに操作部１０７上に表示されるので、ユーザが「メール配信」キー５０２を１回押下するだけで、文書の配信を行わせることができる。なお、ＨＤＤ１０６に保存されている画像情報、例えばスキャナによって読み取って保存してある画像情報や外部から受信して保存してある画像情報を、配信すべき文書として選択的に指定して、配信させることも可能である。
【００５８】
このように、異なる複数台のＭＦＰでの配信設定時の操作履歴情報をサーバで管理し、その各ＭＦＰがそれぞれ、予め設定された認証情報と一致する認証情報が入力された場合に、認証成功と判定して、その判定時に入力された認証情報と共に配信設定に利用する情報の取得要求をサーバへ送信することにより、その認証情報に対応する操作履歴情報を解析させ、配信設定に利用する操作履歴情報（例えばサーバで過去の操作履歴情報を解析して選択された利用頻度が最も高い操作履歴情報又は最も新しい操作履歴情報）を取得し、その操作履歴情報に基づいて配信設定を反映させることにより、ユーザが異なるＭＦＰを利用する場合、つまりどのＭＦＰを利用する場合でも、配信設定を行う際に、その設定に必要な情報をユーザに選択させる煩わしさと手間を軽減させ、操作性を高めることができる。
【００５９】
また、各ＭＦＰがそれぞれ、認証成功と判定した時に入力された認証情報と共に配信設定に利用する情報の取得要求をサーバへ送信することにより、その認証情報に対応する操作履歴情報を解析させ、配信設定に利用する操作履歴情報に対応する配信設定情報（配信設定に利用する操作履歴情報に基づいて決定された配信設定項目毎の配信設定情報）を取得し、その配信設定情報に基づいて配信設定を反映させるようにすれば、配信設定のための処理が容易になるため、処理効率の向上にもつながる。
なお、配信設定の必須項目は配信先（あて先）であり、配信先のみを設定するようにしても構わない。これについては、以降の実施例も同様である。
【００６０】
〔第２実施例〕
次に、第２実施例について、図７〜図１０を参照して説明する。
図７は、図１のＭＦＰ１０（１０ａ，１０ｂ，１０ｃ）およびサーバ２０の主要機能構成の第２例を示すブロック図であり、図４と同じ部分には同一符号を付している。
第２実施例では、ＭＦＰ１０内の前述したソフトウェアを構成する各プログラムが、第１実施例の該当する各部に加え、解析方法設定部２０７としての機能を実現できる。また、サーバ２０内の前述したソフトウェアを構成する各プログラムが、第１実施例の該当する各部に加え、解析方法保存部４０４としての機能を実現できる。
【００６１】
図８は、図７に示したＭＦＰ１０の各部がサーバ２０の各部と共に過去の操作履歴情報を解析して配信設定を行い、配信を行うための処理の一例を示すフローチャートである。
この第２実施例の処理は、図５によって説明した第１実施例の各処理に、ステップＳ１２，Ｓ１３，Ｓ１４，Ｓ１５，Ｓ１６，Ｓ１７の処理が加わった他、ステップＳ４，Ｓ５，Ｓ６，Ｓ７の処理が変更した点が、第１実施例と異なる。以下に、異なるステップのみ記述する。なお、後述する解析方法とは、操作履歴情報の利用頻度（実際には利用頻度が高い配信設定時の操作履歴情報）、利用履歴（新しい配信設定時の操作履歴情報）の解析方法に、解析の対象日数・件数と、解析結果の履歴表示件数を含めたものを指す。
【００６２】
ＭＦＰ１０の解析方法設定部２０７は、ユーザ認証に成功した場合、その認証に成功したユーザに対応する解析方法を設定する（Ｓ１２）。
すなわち、その解析方法の送信を認証要求中の認証情報と共にサーバ２０の解析方法保存部４０４に対して要求する。
サーバ２０の解析方法保存部４０４は、その送信要求を受けると、その送信要求と共に受け取った認証情報に基づいてＨＤＤ３０６に保存されている対応する解析方法を読み込み、それを送信要求元のＭＦＰ１０の解析方法設定部２０７へ通知する。
【００６３】
ここで、解析方法は、予めユーザ（認証ユーザ）による操作部１０７上の操作に応じてユーザインタフェース部２０１から発行される要求に従い、解析方法設定部２０７によって設定され、認証情報と共にサーバ２０の解析方法保存部４０４に送信されることにより、その認証情報に対応付けられてＨＤＤ３０６（又はＮＶＲＡＭ３０５）に保存されている。
【００６４】
図８に戻り、ＭＦＰ１０の解析方法設定部２０７は、サーバ２０の解析方法設定部２０７から解析方法の通知を受けると、その解析方法を設定してＮＶＲＡＭ１０５に記憶すると共に、その設定した解析方法をユーザインタフェース部２０１へ渡す。ここまでが、ステップＳ１２の解析方法設定処理となる。
ユーザインタフェース部２０１は、解析方法設定部２０７から解析方法を受けると、その解析方法の内容を含む解析方法設定確認画面を操作部１０７上に表示して、ユーザに対して解析方法の変更があるかないかの確認を要求し（Ｓ１３）、ユーザによる解析方法の変更の有無をチェックする（Ｓ１４）。
【００６５】
そして、解析方法の変更がない場合には、ステップＳ２へ遷移する。
解析方法の変更がある場合、つまりユーザによる解析方法設定確認画面上の操作によって解析方法が変更された場合、その変更後の解析方法を解析方法設定部２０７へ通知することにより、解析方法設定部２０７が解析方法の送信（通知）を含む処理を行う（Ｓ１５）。
【００６６】
すなわち、解析方法設定部２０７は、ユーザインタフェース部２０１から変更後の解析方法を受けると、その解析方法を設定してＮＶＲＡＭ１０５に記憶すると共に、その設定した解析方法、つまり変更後の解析方法を認証情報と共にサーバ２０の解析方法保存部４０４へ通知して解析方法の変更を行わせた後、ステップＳ２へ遷移する。
サーバ２０の解析方法保存部４０４は、ＭＦＰ１０の解析方法設定部２０７から変更後の解析方法を受けると、その解析方法と共に受けた認証情報に基づいて、ＨＤＤ３０６に保存されている対応する解析方法を今回受けた解析方法に変更する。
【００６７】
なお、上述したようにＨＤＤ３０６に解析方法が予め保存されているため、図８の処理フローからステップＳ１２〜Ｓ１５の処理を削除し、解析方法の変更を他の処理フローで行うようにしても構わない。
あるいは、ステップＳ１２〜Ｓ１５の処理の代わりに、例えば以下に示す処理を行うようにしてもよい。
【００６８】
すなわち、ユーザインタフェース部２０１が、予め決められたデフォルトの解析方法の内容を含む解析方法設定画面を操作部１０７上に表示する。
その後、ユーザにより操作部１０７上で解析方法の設定操作が行われると、その操作に応じた要求を発行する。
解析方法設定部２０７は、その要求に従い、解析方法の設定を行い、ＮＶＲＡＭ１０５に記憶すると共に、その設定した解析方法を認証情報と共にサーバ２０の解析方法保存部４０４へ通知して解析方法の保存を行わせた後、ステップＳ２へ遷移する。
サーバ２０の解析方法保存部４０４は、ＭＦＰ１０の解析方法設定部２０７から設定した解析方法を認証情報と共に受けると、それらを対応付けてＨＤＤ３０６に保存する。
【００６９】
図８に戻り、サーバ２０の配信設定決定部４０２は、ＭＦＰ１０の配信設定取得部２０４から配信設定項目の送信要求を認証情報と共に受けると、解析方法の取得要求をその認証情報と共に解析方法保存部４０４へ通知することにより、解析方法保存部４０４が、その認証情報に対応付けられてＨＤＤ３０６に保存されている解析方法を読み出して要求元へ送信するため、その解析方法を取得し、それを操作履歴情報解析部４０３へ通知する（Ｓ１６）。
【００７０】
操作履歴情報解析部４０３は、操作履歴情報の解析処理（Ｓ４）として、以下に示す処理を行う。
すなわち、各ユーザの操作履歴情報の中から認証ユーザの操作履歴情報のみを検索し、配信設定決定部４０２から取得した解析方法に基づいて認証ユーザの操作履歴情報を解析し、その解析結果を配信設定決定部４０２へ渡す。この例では、履歴表示件数（操作履歴情報を表示できる件数）分の解析結果を配信設定決定部４０２へ渡すものとする。
例えば、解析方法が利用頻度で、解析対象日数が過去１０日、解析対象件数が過去２０件、履歴表示件数が３件の場合、過去１０日以内かつ２０件以内の操作履歴情報を検索した後、カウントして、利用頻度の高い操作履歴情報３件を選択する。
【００７１】
配信設定決定部４０２は、操作履歴情報解析部４０３から履歴表示件数分の解析結果を取得した場合には、その解析結果からそれぞれのメール配信等の配信方法やあて先、解像度、カラー／白黒モード等の配信に関する条件設定やモード設定等の配信設定項目（実際には配信設定項目毎の配信設定内容）を決定し、その履歴表示件数分の配信設定項目をその要求元のＭＦＰ１０の配信設定取得部２０４へ対応する操作履歴情報と共にそれぞれ送信する（Ｓ５）。
ＭＦＰ１０の配信設定取得部２０４は、サーバ２０の配信設定決定部４０２への配信設定項目の送信要求に対し、履歴表示件数分の配信設定項目が対応する操作履歴情報と共にそれぞれ送られてきた場合には、それらを取得して配信設定部２０３経由でユーザインタフェース部２０１へ渡す（Ｓ６）。
【００７２】
ユーザインタフェース部２０１は、配信設定部２０３から履歴表示件数分の配信設定項目および操作履歴情報を取得すると、それらの操作履歴情報の内容を含む履歴選択画面を操作部上に表示し、ユーザに対して配信設定に利用する操作履歴情報（配信設定させたい履歴）の選択を要求する（Ｓ１７）。
配信設定部２０３は、ユーザによる履歴選択画面上の操作により、いずれかの操作履歴情報の選択されると、ユーザインタフェース部２０１からその選択された操作履歴情報に対応する配信設定項目による配信設定が要求されるため、その配信設定項目に基づいて配信設定を行い、その内容をユーザインタフェース部２０１へ渡す（Ｓ７）。
【００７３】
図９は、図８のステップＳ１３で操作部１０７上に表示される解析方法設定画面の一例を示す図である。
「解析方法」表示領域６０１は上述した利用頻度または利用履歴のいずれの方法で行うか、「解析対象日数」表示領域６０２は過去何日の操作履歴情報を解析するか、「解析対象件数」表示領域６０３は何件の操作履歴情報を解析するか、「履歴表示件数」表示領域６０４は操作履歴情報の解析結果（決定された配信設定項目に対応する操作履歴情報）を何件操作部上に表示させるかをそれぞれ示しており、いずれも表示内容の選択を変更できる。
【００７４】
ここでは、過去１０日以内かつ２０件以内の操作履歴情報のうち、利用頻度の高い配信設定に対応するもの３件を表示させる例を示している。
なお、「解析方法」として、上述した利用頻度および利用履歴の両方を順次選択し、それぞれ「解析対象日数」「解析対象件数」「表示件数」を選択するようにすることもできる。
【００７５】
図１０は、図８のステップＳ１７で操作部１０７上に表示される履歴選択画面の一例を示す図である。
この履歴選択画面では、上記の「履歴表示件数」が３件の場合に、利用頻度が高い３件の配信設定に対応する操作履歴情報の内容と共に、そのいずれかの選択をユーザに対して要求する例を示している。なお、「履歴表示件数」が４件以上なのに、３件の操作履歴情報しか表示できないような場合には、「他の件」キー７０１の操作により、他の操作履歴情報を表示することができる。
【００７６】
第２実施形態によれば、第１実施形態の効果に加え、以下に示す効果を得ることもできる。つまり、各ＭＦＰがそれぞれ、配信設定に利用する操作履歴情報の候補（利用頻度が高い複数の操作履歴情報又は新しい複数の操作履歴情報）を表示させ、その候補のいずれかをユーザの操作によって選択して配信設定を行うこともできるので、利便性の向上にもつながる。
【００７７】
〔第３実施例〕
次に、第３実施例について、図１１〜図１３を参照して説明する。
図１１は、図１のＭＦＰ１０（１０ａ，１０ｂ，１０ｃ）およびサーバ２０の主要機能構成の第３例を示すブロック図であり、図４と同じ部分には同一符号を付している。
第３実施例では、ＭＦＰ１０内の前述したソフトウェアを構成する各プログラムが、第１実施例の該当する各部に加え、警告部２０８としての機能を実現できる。また、サーバ２０内の前述したソフトウェアを構成する各プログラムが、第１実施例の該当する各部としての機能を実現できる。
【００７８】
図１２は、図１１に示したＭＦＰ１０の各部がサーバ２０の各部と共に過去の操作履歴情報を解析して配信設定を行い、配信を行うための処理の一例を示すフローチャートである。
この第３実施例の処理は、図５によって説明した第１実施例の各処理に、ステップＳ１８，Ｓ１９，Ｓ２０の処理が加わった他、ステップＳ７の処理が変更した点が、第１実施例と異なる。以下に、異なるステップのみ記述する。
【００７９】
ＭＦＰ１０の配信設定部２０３は、配信設定取得部２０４から配信設定項目を取得すると、その配信設定項目に当該ＭＦＰ１０で設定不可能な設定項目（設定情報）がないかをチェックし、設定不可能な設定項目があったと判定した場合には、その旨を警告部２０８に通知する（Ｓ１８）。
警告部２０８は、配信設定部２０３から設定不可能な設定項目の通知を受けた場合に、その通知内容を示す警告画面を操作部１０７上に表示して（設定不可を通知して）、このまま処理を続行するか中止するかの選択をユーザに対して要求し（Ｓ１９）、ユーザによる処理の続行／中止の選択をチェックする（Ｓ２０）。
【００８０】
配信設定部２０３は、ステップＳ１８で設定不可能な設定項目がないと判定された場合には、そのまま第１実施例と同様に配信設定を行い、その内容をユーザインタフェース部２０１へ渡すが、設定不可能な設定項目があると判定し、且つステップＳ２０でユーザによる操作部１０７上の操作によって処理の続行が選択され、その旨がユーザインタフェース部２０１から通知された場合には、当該ＭＦＰ１０で設定可能な設定項目に変更し、その変更後の配信設定項目に基づいて配信設定を行い、その内容をユーザインタフェース部２０１へ渡す（Ｓ７）。
【００８１】
図１３は、図１２のステップＳ１９で操作部１０７上に表示される警告画面の一例を示す図である。
設定不可能な設定項目が６００ｄｐｉの解像度であるため、図１３に示す警告画面では、解像度を６００ｄｐｉに設定できないことと、デフォルトの解像度を設定してよいかをユーザに対して通知する例を示している。この警告画面は、図１１の配信設定部２０３が配信設定を行う際に、当該ＭＦＰ１０に設定不可能な設定項目として６００ｄｐｉの解像度があるため、操作部１０７上に表示される。
【００８２】
〔操作履歴情報例〕
次に、操作履歴情報について、図１４，図１５を参照して説明する。
図１４は、図２の操作部１０７上に表示されるグループとプロジェクトを選択させるためのグループ／プロジェクト選択画面の一例を示す図である。
【００８３】
操作履歴情報には、グループ（Ｇｒｏｕｐ）とプロジェクト（Ｐｒｏｊｅｃｔ）が含まれる。
【００８４】
プロジェクトとは、あて先や解像度、カラー／白黒モード等の配信設定のことであり、ユーザの用途に合わせて設定される。
グループとは、プロジェクトをまとめたものである。
グループとプロジェクトは、予めユーザ（実際には操作部１０７上を操作することによって）が設定しており、ユーザがグループを選択した後に、配信設定したいプロジェクトを選択するようにしている。
【００８５】
ただし、前述した各実施例のいずれかにおいて、操作履歴情報を解析し、各ユーザの操作履歴情報の中に認証ユーザの操作履歴情報があり、その操作履歴情報による配信設定を現在の配信設定に反映させた場合には、上述したようなグループ／プロジェクト選択画面は表示されない。このグループ／プロジェクト選択画面は、各ユーザの操作履歴情報の中に認証ユーザの操作履歴情報がなかった場合や、操作部１０７上の所定の操作によって表示させることができる。
【００８６】
図１５は、図３に示したサーバ２０のＨＤＤ３０６に保存されている各ユーザの操作履歴情報および認証ユーザの操作履歴情報の一例を示す図である。
図１５の（ａ）は、サーバ２０のＨＤＤ３０６に保存されている各ユーザの操作履歴情報を、同図の（ｂ）は、ユーザがＭＦＰ１０にログインし、認証に成功した場合に操作履歴情報解析部４０３が解析対象とする配信設定に利用する操作履歴情報、つまり認証ユーザの操作履歴情報をそれぞれ示している。
【００８７】
この例は、ユーザＡが認証に成功した場合を示している。
この場合、ユーザＡが予め利用頻度（最高頻度）による解析方法を設定していれば、グループ「ＧｒｏｕｐＡ−１」のプロジェクト「ｐｒｏｊｅｃｔＡ−１」が、利用履歴（最新履歴）での検索を設定していれば、「ＧｒｏｕｐＡ−１」のプロジェクト「ｐｒｏｊｅｃｔＡ−３」が操作履歴情報の解析結果として選択される。
【００８８】
以上、本発明を配信機能を有するデジタル複合機とサーバを使用する情報処理システムに適用した実施形態について説明したが、本発明はこれに限らず、配信機能を有する各種の画像形成装置（デジタル複合機，デジタル複写機，ファクシミリ装置，プリンタ等）や画像読取装置（スキャナ装置等）等の画像処理装置と、サーバ等の管理装置を使用する情報処理システムに適用可能である。また、画像処理装置の代わりに、配信機能を有するＰＣ等の情報処理装置を使用した情報処理システムにも、本発明を適用することは可能である。
【００８９】
〔本発明に関わるプログラム〕
このプログラムは、画像処理装置を制御するコンピュータであるＣＰＵに、本発明に関わる配信設定手段，配信手段，受付手段，認証手段，配信関連情報取得手段，解析方法設定手段，解析方法通知手段，および設定不可通知手段としての機能を、管理装置を制御するコンピュータであるＣＰＵに、操作履歴情報取得手段，操作履歴情報保存手段，操作履歴情報解析手段，配信設定情報決定手段，操作履歴情報送信手段，および解析方法保存手段としての機能をそれぞれ実現させるためのプログラムであり、このようなプログラムをＣＰＵに実行させることにより、上述したような作用効果を得ることが可能になる。
【００９０】
このようなプログラムは、はじめから画像処理装置および管理装置に備えるＲＯＭ、あるいは不揮発性メモリ（フラッシュＲＯＭ，ＥＥＰＲＯＭ等）、あるいはＨＤＤなどの記憶手段に格納しておいてもよいが、記録媒体であるＣＤ−ＲＯＭ、あるいはメモリカード，フレキシブルディスク，ＭＯ，ＣＤ−Ｒ，ＣＤ−ＲＷ，ＤＶＤ＋Ｒ，ＤＶＤ＋ＲＷ，ＤＶＤ−Ｒ，ＤＶＤ−ＲＷ，又はＤＶＤ−ＲＡＭ等の不揮発性記録媒体（メモリ）に記録して提供することもできる。それらの記録媒体に記録されたプログラムを画像処理装置および管理装置にインストールしてＣＰＵに実行させるか、ＣＰＵにそれらの記録媒体からこのプログラムを読み出して実行させることにより、上述した各手順を実行させることができる。
さらに、ネットワークに接続され、プログラムを記録した記録媒体を備える外部機器あるいはプログラムを記憶手段に記憶した外部機器からダウンロードして実行させることも可能である。
【産業上の利用可能性】
【００９１】
以上の説明から明らかなように、本発明によれば、過去の配信設定を簡単な操作によって現在の配信設定に反映できるため、配信設定時の操作性が向上する。したがって、本発明を利用すれば、非常に使い勝手のよい画像処理装置を提供することができる。
【符号の説明】
【００９２】
１：ネットワーク    １０：ＭＦＰ    １１：コントローラ    １２：ＦＣＵ
１３：エンジンＩ／Ｆ    １４：エンジン    ２０：サーバ    １０１，３０１：ＣＰＵ
１０２，３０２：ＡＳＩＣ    １０３，３０３：ＳＤＲＡＭ    １０４，３０４：ＲＯＭ
１０５，３０５：ＮＶＲＡＭ    １０６，３０６：ＨＤＤ    １０７：操作部
１０８，３０７：モデム    １０９，３０８：ＵＳＢ・Ｉ／Ｆ
１１０，３０９：ＩＥＥＥ１３９４・Ｉ／Ｆ    １１１，３１０：ＭＡＣ・Ｉ／Ｆ
２０１：ユーザインタフェース部    ２０２：認証部    ２０３：配信設定部
２０４：配信設定取得部    ２０５：操作履歴情報送信部    ２０６：配信実行部
２０７：解析方法設定部    ２０８：警告部    ４０１：操作履歴情報保存部
４０２：配信設定決定部    ４０３：操作履歴情報解析部    ４０４：解析方法保存部
【先行技術文献】
【特許文献】
【００９３】
【特許文献１】特開２００８−１０３９０３号公報
【図１】
2011130272.tif 000003
【図２】
2011130272.tif 000004
【図３】
2011130272.tif 000005
【図４】
2011130272.tif 000006
【図５】
2011130272.tif 000007
【図６】
2011130272.tif 000008
【図７】
2011130272.tif 000009
【図８】
2011130272.tif 000010
【図９】
2011130272.tif 000011
【図１０】
2011130272.tif 000012
【図１１】
2011130272.tif 000013
【図１２】
2011130272.tif 000014
【図１３】
2011130272.tif 000015
【図１４】
2011130272.tif 000016
【図１５】
2011130272.tif 000017